(57)【要約】【課題】読取装置による識別体の識別情報の確実な読み取りが可能であるかを前もって確認することのできる設備管理システムを得る。【解決手段】設備管理システムは、設備に設けられ、識別体識別情報を保持する識別体と、識別体から識別体識別情報を読み取る読取装置と、通信接続されている読取装置によって識別体から読み取られた識別体識別情報を読取装置から取得する携帯端末装置と、を備え、携帯端末装置は、通信接続されている読取装置が識別体から識別体識別情報を正常に読み取ることができるかをテストする読取テストを行う読取テスト機能を備える。【選択図】図４
2019210133.tif 000002
【特許請求の範囲】
【請求項１】
設備に設けられ、識別体識別情報を保持する識別体と、
前記識別体から前記識別体識別情報を読み取る読取装置と、
通信接続されている前記読取装置によって前記識別体から読み取られた前記識別体識別情報を前記読取装置から取得する携帯端末装置と、
を備えた設備管理システムであって、
前記携帯端末装置は、
通信接続されている前記読取装置が前記識別体から前記識別体識別情報を正常に読み取ることができるかをテストする読取テストを行う読取テスト機能を備える
設備管理システム。
【請求項２】
前記携帯端末装置は、
読取テストモードを有し、前記読取テストモードが指定されている場合に前記読取装置による前記識別体の読み取りが行われた結果、前記識別体から前記識別体識別情報を取得できたか否かをチェックすることで、前記読取テストを行う
請求項１に記載の設備管理システム。
【請求項３】
前記識別体とは別個であって、テスト用識別体識別情報を保持するテスト用識別体をさらに備え、
前記携帯端末装置は、
前記読取装置による前記テスト用識別体の読み取りが行われた結果、前記テスト用識別体から前記テスト用識別体識別情報を取得できたか否かをチェックすることで、前記読取テストを行う
請求項１に記載の設備管理システム。
【請求項４】
前記識別体とは別個であって、テスト用識別体識別情報を保持するテスト用識別体と、
前記携帯端末装置と通信する管理装置と、
をさらに備え、
前記携帯端末装置は、
前記読取装置による前記テスト用識別体の読み取りが行われることで前記テスト用識別体から取得した前記テスト用識別体識別情報を前記管理装置に送信し、
前記管理装置は、
前記携帯端末装置から受信した前記テスト用識別体識別情報に対応するテスト用設備識別情報を前記携帯端末装置に送信し、
前記携帯端末装置は、
前記管理装置への前記テスト用識別体識別情報の送信に対する応答として、前記管理装置から前記テスト用設備識別情報を受信できたか否かをチェックすることで、前記読取テストを行う
請求項１に記載の設備管理システム。
【請求項５】
前記携帯端末装置は、前記読取テストの結果を報知するように構成されている
請求項１から４のいずれか１項に記載の設備管理システム。
【発明の詳細な説明】
【技術分野】
【０００１】
本発明は、設備に設けられた識別体から識別体の識別情報を読み取る読取装置を用いて構成される設備管理システムに関する。
【背景技術】
【０００２】
従来において、昇降機に設けられた識別体から識別体の識別情報を読み取る携帯端末装置と、携帯端末装置から受信した識別体の識別情報に対応する昇降機の識別情報をその携帯端末装置に送信する管理装置とを備えたシステムが提案されている（例えば、特許文献１参照）。このようなシステムによって、昇降機に関連した情報の漏洩の防止を実現することができる。
【先行技術文献】
【特許文献】
【０００３】
【特許文献１】特開２０１５−２０８３６号公報
【発明の概要】
【発明が解決しようとする課題】
【０００４】
ここで、特許文献１に記載のシステムでは、携帯端末装置に識別体の識別情報を読み取る読取装置が内蔵されていない場合、携帯端末装置に外付けの読取装置を通信接続する必要がある。また、このような場合、携帯端末装置に通信接続されている読取装置を用いて識別体の識別情報を読み取る作業が必要となると考えられる。
【０００５】
上記のシステムにおいて、このような作業が行われることを前提とする場合、読取装置による識別体の識別情報の確実な読み取りが可能であるかを前もって確認しておかないと、作業効率が低下する可能性がある。
【０００６】
本発明は、上記を鑑みてなされたものであり、読取装置による識別体の識別情報の確実な読み取りが可能であるかを前もって確認することのできる設備管理システムを得ることを目的とする。
【課題を解決するための手段】
【０００７】
本発明における設備管理システムは、設備に設けられ、識別体識別情報を保持する識別体と、識別体から識別体識別情報を読み取る読取装置と、通信接続されている読取装置によって識別体から読み取られた識別体識別情報を読取装置から取得する携帯端末装置と、を備えた設備管理システムであって、携帯端末装置は、通信接続されている読取装置が識別体から識別体識別情報を正常に読み取ることができるかをテストする読取テストを行う読取テスト機能を備えるものである。
【発明の効果】
【０００８】
本発明によれば、読取装置による識別体の識別情報の確実な読み取りが可能であるかを前もって確認することのできる設備管理システムを得ることができる。
【図面の簡単な説明】
【０００９】
【図１】本発明の実施の形態１における設備管理システムの構成を示すブロック図である。
【図２】本発明の実施の形態１における管理装置が保持するエレベーター管理情報テーブルの一例を示す図である。
【図３】本発明の実施の形態１における管理装置が保持する訪問履歴情報テーブルの一例を示す図である。
【図４】本発明の実施の形態１における携帯端末装置によって行われる読取テストの一連の処理を示すフローチャートである。
【図５】本発明の実施の形態１における携帯端末装置と管理装置との間で行われる一連の処理を示すフローチャートである。
【図６】本発明の実施の形態２における設備管理システムの構成を示すブロック図である。
【図７】本発明の実施の形態２における携帯端末装置によって行われる読取テストの一連の処理を示すフローチャートである。
【図８】本発明の実施の形態３における携帯端末装置によって行われる読取テストの一連の処理を示すフローチャートである。
【発明を実施するための形態】
【００１０】
以下、本発明による設備管理システムを、好適な実施の形態に従って図面を用いて説明する。なお、以降では、本発明をエレベーターに適用した場合を例示して説明する。
【００１１】
実施の形態１．
図１は、本発明の実施の形態１における設備管理システムの構成を示すブロック図である。図１に示す設備管理システムは、設備の一例としてのエレベーター１に設けられるＩＣタグ２と、ＩＣタグ２からＩＣタグ識別情報を読み取る読取装置３と、読取装置３と通信する携帯端末装置４と、携帯端末装置４と通信する管理装置５とを備える。
【００１２】
識別体の一例としてのＩＣタグ２は、建物に設置されるエレベーター１に設けられ、より具体的には、例えば、エレベーター１を制御する機能が実装されているエレベーター１の制御盤に設けられる。識別体の一例としてのＩＣタグ２は、当該識別体を識別するための識別情報である識別体識別情報の一例としてのＩＣタグ識別情報を保持する。
【００１３】
ＩＣタグ識別情報は、ＩＣタグ２を識別するための情報であり、ＩＣタグ２が設けられたエレベーター１に関する情報と関連しない情報となるように設計されている。ＩＣタグ識別情報は、例えば、当該ＩＣタグ２に固有の番号からなる。つまり、読取装置３によってＩＣタグ２を読み取るだけでは、エレベーター１に関する情報が得られず、当該ＩＣタグ２に固有の番号が得られるだけである。
【００１４】
携帯端末装置４と、外付けの読取装置３とは、建物に赴き、その建物に設置されるエレベーター１を保守する保守員によって所持される。
【００１５】
読取装置３は、エレベーター１に設けられるＩＣタグ２から、ＩＣタグ識別情報を非接触で読み取り可能に構成されている。読取装置３は、ＩＣタグ２から読み取ったＩＣタグ識別情報を、通信接続されている携帯端末装置４に送信する。読取装置３としては、例えば、外付けの非接触ＩＣタグリーダーなどを用いればよい。
【００１６】
携帯端末装置４は、通信接続されている読取装置３によってＩＣタグ２から読み取られたＩＣタグ識別情報をその読取装置３から取得する。また、携帯端末装置４は、読取装置３からＩＣタグ識別情報を取得した日付および時刻を、それぞれＩＣタグ読取日およびＩＣタグ読取時刻として決定する。さらに、携帯端末装置４は、当該携帯端末装置４を所持する保守員の氏名から構成される保守員情報を保持する。
【００１７】
携帯端末装置４は、取得したＩＣタグ識別情報と、決定したＩＣタグ読取日およびＩＣタグ読取時刻から構成されるＩＣタグ読取情報と、保守員情報とを、通信接続されている管理装置５に送信する。携帯端末装置４は、管理装置５に送信したＩＣタグ識別情報に対応するエレベーター識別情報を管理装置５から受信し、そのエレベーター識別情報を画面上に表示する。
【００１８】
また、携帯端末装置４は、当該携帯端末装置４に通信接続されている読取装置３がＩＣタグ２からＩＣタグ識別情報を正常に読み取ることができるかをテストする読取テストを行う読取テスト機能を備える。さらに、携帯端末装置４は、読取テストを行うためのモードとして、保守員によって指定可能な読取テストモードを有する。
【００１９】
携帯端末装置４としては、例えば、携帯電話、スマートホン、パーソナルコンピュータなどを用いればよい。携帯端末装置４が読取装置３と通信する方式としては、例えば、Ｂｌｕｅｔｏｏｔｈ（登録商標）通信方式などが挙げられる。
【００２０】
管理装置５は、エレベーター１を遠隔監視する情報センターに設けられ、携帯端末装置４と通信する。管理装置５は、後述するエレベーター管理情報テーブルおよび訪問履歴情報テーブルを保持する。
【００２１】
管理装置５は、エレベーター管理情報テーブルを参照して、携帯端末装置４から受信したＩＣタグ識別情報に対応するエレベーター識別情報を決定し、そのエレベーター識別情報を携帯端末装置４に送信する。管理装置５は、携帯端末装置４から受信したＩＣタグ読取情報および保守員情報を訪問履歴情報テーブルに登録する。
【００２２】
ここで、管理装置５が保持するエレベーター管理情報テーブルの一例について、図２を参照しながら説明する。図２は、本発明の実施の形態１における管理装置５が保持するエレベーター管理情報テーブルの一例を示す図である。
【００２３】
図２に示すように、エレベーター管理情報テーブルは、エレベーター１に設けられるＩＣタグ２を識別するための情報である「ＩＣタグ識別情報」と、エレベーター１を識別するための情報である「エレベーター識別情報」と、エレベーター１に関連する情報である「エレベーター関連情報」とが対応付けられたテーブルである。
【００２４】
ＩＣタグ識別情報は、ＩＣタグ２に固有の番号である「ＩＣタグ番号」から構成される。エレベーター識別情報は、エレベーター１が設置される建物に固有の番号である「建物番号」と、建物に設置されるエレベーター１に固有の番号である「エレベーター番号」とが対応付けられて構成される。
【００２５】
エレベーター関連情報は、建物に設置されるエレベーター１の種類である「機種」と、エレベーター１が設置される建物の名称である「ビル名」と、エレベーター１が建物に設置された日付である「設置年月日」と、エレベーター１が建物から撤去された日付である「撤去年月日」と、建物に設置されるエレベーター１を管理する顧客の連絡先メールアドレスである「お客様連絡先メールアドレス」とが対応付けられて構成される。
【００２６】
続いて、管理装置５が保持する訪問履歴情報テーブルの一例について、図３を参照しながら説明する。図３は、本発明の実施の形態１における管理装置５が保持する訪問履歴情報テーブルの一例を示す図である。
【００２７】
図３に示すように、訪問履歴情報テーブルは、エレベーター１を識別するための情報である「エレベーター識別情報」と、読取装置３によるＩＣタグ２の読み取りに関する情報である「ＩＣタグ読取情報」と、保守員に関する情報である「保守員情報」とが対応付けられたテーブルである。
【００２８】
エレベーター識別情報は、エレベーター１が設置される建物に固有の番号である「建物番号」と、建物に設置されるエレベーター１に固有の番号である「エレベーター番号」とが対応付けられて構成される。
【００２９】
ＩＣタグ読取情報は、読取装置３によってＩＣタグ２が読み取られた日付である「ＩＣタグ読取日」と、読取装置３によってＩＣタグ２が読み取られた時刻である「ＩＣタグ読取時刻」とが対応付けられて構成される。保守員情報は、保守員の氏名である「保守員」から構成される。
【００３０】
次に、携帯端末装置４の読取テスト機能について、図４を参照しながら説明する。図４は、本発明の実施の形態１における携帯端末装置４によって行われる読取テストの一連の処理を示すフローチャートである。
【００３１】
ステップＳ１０１において、保守員が携帯端末装置４を操作することで携帯端末装置４に対して読取テストモードが指定される。その後、処理がステップＳ１０２へと進む。
【００３２】
ステップＳ１０２において、保守員が携帯端末装置４と通信接続されている読取装置３をＩＣタグ２に近付けることで、読取装置３によってＩＣタグ２の読み取りが行われる。その後、処理がステップＳ１０３へと進む。
【００３３】
ステップＳ１０３において、携帯端末装置４は、ステップＳ１０２での読取装置３によるＩＣタグ２の読み取りが行われた結果、読取装置３を介してＩＣタグ２からＩＣタグ識別情報を取得できたか否かを判断する。ステップＳ１０３において、携帯端末装置４がＩＣタグ識別情報を取得できた場合、処理がステップＳ１０４へと進み、携帯端末装置４がＩＣタグ識別情報を取得できなかった場合、処理がステップＳ１０５へと進む。
【００３４】
このように、携帯端末装置４は、読取テストモードを有し、読取テストモードが指定されている場合に読取装置３によるＩＣタグ２の読み取りが行われた結果、ＩＣタグ２からＩＣタグ識別情報を取得できたか否かをチェックすることで、読取テストを行うように構成されている。
【００３５】
携帯端末装置４は、読取テストモードが指定されている場合に読取装置３を介してＩＣタグ２からＩＣタグ識別情報を取得できれば、読取装置３がＩＣタグ２からＩＣタグ識別情報を正常に読み取り、かつ、読取装置３と携帯端末装置４との間が正常に通信可能であることとなる。この場合、携帯端末装置４は、読取テストが成功であると判断する。一方、携帯端末装置４は、読取テストモードが指定されている場合に読取装置３を介してＩＣタグ２からＩＣタグ識別情報を取得できなければ、読取装置３がＩＣタグ２からＩＣタグ識別情報を読み取れない、あるいは、読取装置３と携帯端末装置４との間が通信不可であることとなる。この場合、携帯端末装置４は、読取テストが失敗であると判断する。
【００３６】
ステップＳ１０４において、携帯端末装置４は、画面上に「読取テスト成功」の文字を表示する。その後、処理が終了となる。
【００３７】
このように、読取テストの結果として、携帯端末装置４の画面上に読取テストが成功したことを示す情報が表示される。これにより、保守員は、読取装置３がＩＣタグ２からＩＣタグ識別情報を正常に読み取り、かつ、読取装置３と携帯端末装置４との間が正常に通信可能であることを確認することができる。
【００３８】
ステップＳ１０５において、携帯端末装置４は、画面上に「読取テスト失敗」の文字を表示する。その後、処理が終了となる。
【００３９】
このように、読取テストの結果として、携帯端末装置４の画面上に読取テストが失敗したことを示す情報が表示される。これにより、保守員は、読取装置３がＩＣタグ２からＩＣタグ識別情報を読み取れない、あるいは、読取装置３と携帯端末装置４との間が通信不可であることとを確認することができる。
【００４０】
このように、携帯端末装置４は、読取テストの結果を報知するように構成されている。なお、携帯端末装置４は、読取テストの結果を報知する具体的な構成として、読取テスト結果を画面表示によって報知するように構成されている場合を例示しているが、これに限定されない。すなわち、携帯端末装置４は、例えば、音声によって読取テストの結果を報知するように構成されていてもよい。
【００４１】
次に、携帯端末装置４と管理装置５との間で行われる処理について、図５を参照しながら説明する。図５は、本発明の実施の形態１における携帯端末装置４と管理装置５との間で行われる一連の処理を示すフローチャートである。なお、図５のフローチャートの処理は、例えば、エレベーター１の保守を開始するタイミングと、エレベーター１の保守を終了するタイミングとで、それぞれ行われる。
【００４２】
ステップＳ２０１において、保守員が携帯端末装置４と通信接続されている読取装置３をＩＣタグ２に近付けることで、読取装置３によってＩＣタグ２の読み取りが行われる。その後、処理がステップＳ２０２へと進む。
【００４３】
ステップＳ２０２において、携帯端末装置４は、読取装置３を介してＩＣタグ２から取得したＩＣタグ識別情報を、ＩＣタグ読取情報および保守員情報とともに管理装置５に送信する。その後、処理がステップＳ２０３へと進む。
【００４４】
ステップＳ２０３において、管理装置５は、携帯端末装置４から受信したＩＣタグ識別情報に対応するエレベーター識別情報を、エレベーター管理情報テーブルから抽出して携帯端末装置４に送信する。その後、処理がステップＳ２０４へと進む。なお、管理装置５は、携帯端末装置４から受信したＩＣタグ識別情報に対応するエレベーター関連情報に含まれる各種情報を、エレベーター管理情報テーブルから抽出して携帯端末装置４に送信するように構成されていてもよい。
【００４５】
ステップＳ２０４において、管理装置５は、携帯端末装置４から受信したＩＣタグ識別情報に対応するエレベーター識別情報と対応付けて、携帯端末装置４から受信したＩＣタグ読取情報および保守員情報を訪問履歴情報テーブルに登録する。このＩＣタイミング読取情報を構成するＩＣ読取日およびＩＣタグ読取時刻は、エレベーター１の保守が開始あるいは終了した日時に対応する。
【００４６】
また、管理装置５は、携帯端末装置４から受信したＩＣタグ識別情報に対応するお客様連絡先メールアドレスを、エレベーター管理情報テーブルから抽出して、そのアドレス宛に、エレベーター１の保守が開始あるいは終了したことを知らせるメールを送信する。その後、処理がステップＳ２０５へと進む。
【００４７】
ステップＳ２０５において、携帯端末装置４は、管理装置５から受信したエレベーター識別情報を画面上に表示する。その後、処理が終了となる。
【００４８】
なお、携帯端末装置４は、管理装置５から受信したエレベーター識別情報を、そのエレベーター識別情報を受信してから一定時間（例えば、２４時間）経過後に、削除するように構成されていてもよい。このような構成によって、エレベーター識別情報の秘匿性を高めることができる。
【００４９】
以上、本実施の形態１によれば、設備管理システムの携帯端末装置は、通信接続されている読取装置が識別体から識別体識別情報を正常に読み取ることができるかをテストする読取テストを行う読取テスト機能を備えて構成されている。具体的には、携帯端末装置は、読取テストモードを有し、読取テストモードが指定されている場合に読取装置による識別体の読み取りが行われた結果、識別体から識別体識別情報を取得できたか否かをチェックすることで、読取テストを行うように構成されている。
【００５０】
これにより、読取装置による識別体の識別情報の確実な読み取りが可能であるかを前もって確認することのできる設備管理システムを得ることができる。
【００５１】
実施の形態２．
本発明の実施の形態２では、先の実施の形態１と異なる読取テスト機能を携帯端末装置４が備える設備管理システムについて説明する。なお、本実施の形態２では、先の実施の形態１と同様である点の説明を省略し、先の実施の形態１と異なる点を中心に説明する。
【００５２】
図６は、本発明の実施の形態２における設備管理システムの構成を示すブロック図である。図６に示す設備管理システムは、図１に示す構成に加えて、保守員によって所持されるテスト用ＩＣタグ６を備える。
【００５３】
テスト用識別体の一例であるテスト用ＩＣタグ６は、エレベーター１に設けられるＩＣタグ２とは別個のものであり、読取テストが行われる場合に用いられる。テスト用ＩＣタグ６は、当該テスト用識別体を識別するための識別情報であるテスト用識別体識別情報の一例としてのテスト用ＩＣタグ識別情報を保持する。テスト用ＩＣタグ識別情報は、先の実施の形態１で説明したＩＣタグ識別情報と同様に、エレベーター１に関する情報と関連しない情報となるように設計されている。
【００５４】
次に、本実施の形態２における携帯端末装置４の読取テスト機能について、図７を参照しながら説明する。図７は、本発明の実施の形態２における携帯端末装置４によって行われる読取テストの一連の処理を示すフローチャートである。
【００５５】
ステップＳ３０１において、保守員が携帯端末装置４と通信接続されている読取装置３をテスト用ＩＣタグ６に近付けることで、読取装置３によってテスト用ＩＣタグ６の読み取りが行われる。その後、処理がステップＳ３０２へと進む。
【００５６】
ステップＳ３０２において、携帯端末装置４は、ステップＳ３０１での読取装置３によるテスト用ＩＣタグ６の読み取りが行われた結果、読取装置３を介してテスト用ＩＣタグ６からテスト用ＩＣタグ識別情報を取得できたか否かを判断する。ステップＳ３０２において、携帯端末装置４がテスト用ＩＣタグ識別情報を取得できた場合、処理がステップＳ３０３へと進み、携帯端末装置４がテスト用ＩＣタグ識別情報を取得できなかった場合、処理がステップＳ３０４へと進む。
【００５７】
このように、携帯端末装置４は、読取装置３によるテスト用ＩＣタグ６の読み取りが行われた結果、テスト用ＩＣタグ６からテスト用ＩＣタグ識別情報を取得できたか否かをチェックすることで、読取テストを行うように構成されている。
【００５８】
携帯端末装置４は、読取装置３を介してテスト用ＩＣタグ６からテスト用ＩＣタグ識別情報を取得できれば、読取装置３がテスト用ＩＣタグ６からテスト用ＩＣタグ識別情報を正常に読み取り、かつ、読取装置３と携帯端末装置４との間が正常に通信可能であることとなる。この場合、携帯端末装置４は、読取テストが成功であると判断する。一方、携帯端末装置４は、読取装置３を介してテスト用ＩＣタグ６からテスト用ＩＣタグ識別情報を取得できなければ、読取装置３がテスト用ＩＣタグ６からテスト用ＩＣタグ識別情報を読み取れない、あるいは、読取装置３と携帯端末装置４との間が通信不可であることとなる。この場合、携帯端末装置４は、読取テストが失敗であると判断する。
【００５９】
ステップＳ３０３において、携帯端末装置４は、画面上に「読取テスト成功」の文字を表示する。その後、処理が終了となる。
【００６０】
ステップＳ３０４において、携帯端末装置４は、画面上に「読取テスト失敗」の文字を表示する。その後、処理が終了となる。
【００６１】
以上、本実施の形態２によれば、設備管理システムの携帯端末装置は、読取装置によるテスト用識別体の読み取りが行われた結果、テスト用識別体からテスト用識別体識別情報を取得できたか否かをチェックすることで、読取テストを行うように構成されている。このように構成した場合であっても、先の実施の形態１と同様の効果が得られる。
【００６２】
実施の形態３．
本発明の実施の形態３では、先の実施の形態１、２と異なる読取テスト機能を携帯端末装置４が備える設備管理システムについて説明する。なお、本実施の形態３では、先の実施の形態１、２と同様である点の説明を省略し、先の実施の形態１、２と異なる点を中心に説明する。
【００６３】
実施の形態３における設備管理システムは、図６に示す構成と同様である。管理装置５は、テスト用ＩＣタグ６によって保持されるテスト用ＩＣタグ識別情報（テスト用識別体識別情報）に対応するテスト用エレベーター識別情報（テスト用設備識別情報）を保持する。管理装置５は、携帯端末装置４からテスト用ＩＣタグ識別情報を受信すれば、そのテスト用ＩＣタグ識別情報に対応するテスト用エレベーター識別情報を携帯端末装置４に送信する。
【００６４】
次に、本実施の形態３における携帯端末装置４の読取テスト機能について、図８を参照しながら説明する。図８は、本発明の実施の形態３における携帯端末装置４によって行われる読取テストの一連の処理を示すフローチャートである。
【００６５】
ステップＳ４０１において、保守員が携帯端末装置４と通信接続されている読取装置３をテスト用ＩＣタグ６に近付けることで、読取装置３によってテスト用ＩＣタグ６の読み取りが行われる。その後、処理がステップＳ４０２へと進む。
【００６６】
ステップＳ４０２において、携帯端末装置４は、ステップＳ４０１での読取装置３によるテスト用ＩＣタグ６の読み取りが行われることで取得したテスト用ＩＣタグ識別情報を管理装置５に送信する。その後、処理がステップＳ４０３へと進む。
【００６７】
ステップＳ４０３において、管理装置５は、携帯端末装置４から受信したテスト用ＩＣタグ識別情報に対応するテスト用エレベーター識別情報を携帯端末装置４に送信する。その後、処理がステップＳ４０４へと進む。
【００６８】
ステップＳ４０４において、携帯端末装置４は、管理装置５からテスト用エレベーター識別情報を受信できたか否かを判断する。ステップＳ４０４において、携帯端末装置４がテスト用エレベーター識別情報を受信できた場合、処理がステップＳ４０５へと進み、携帯端末装置４がテスト用エレベーター識別情報を受信できなかった場合、処理がステップＳ４０６へと進む。
【００６９】
このように、携帯端末装置４は、読取装置３によるテスト用ＩＣタグ６の読み取りが行われることでテスト用ＩＣタグ６から取得したテスト用ＩＣタグ識別情報を管理装置５に送信するように構成されている。管理装置５は、携帯端末装置４から受信したテスト用ＩＣタグ識別情報に対応するテスト用エレベーター識別情報を携帯端末装置４に送信するように構成されている。携帯端末装置４は、管理装置５へのテスト用ＩＣタグ識別情報の送信に対する応答として、管理装置５からテスト用エレベーター識別情報を受信できたか否かをチェックすることで、読取テストを行うように構成されている。
【００７０】
携帯端末装置４は、管理装置５からテスト用エレベーター識別情報を受信できれば、読取装置３がテスト用ＩＣタグ６からテスト用ＩＣタグ識別情報を正常に読み取り、読取装置３と携帯端末装置４との間が正常に通信可能であり、かつ、携帯端末装置４と管理装置５との間が正常に通信可能であることとなる。この場合、携帯端末装置４は、読取テストが成功であると判断する。一方、携帯端末装置４は、管理装置５からテスト用エレベーター識別情報を受信できなければ、読取装置３がテスト用ＩＣタグ６からテスト用ＩＣタグ識別情報を読み取れない、読取装置３と携帯端末装置４との間が通信不可である、あるいは、携帯端末装置４と管理装置５との間が通信不可であることとなる。この場合、携帯端末装置４は、読取テストが失敗であると判断する。
【００７１】
ステップＳ４０５において、携帯端末装置４は、画面上に「読取テスト成功」の文字を表示する。その後、処理が終了となる。
【００７２】
ステップＳ４０６において、携帯端末装置４は、画面上に「読取テスト失敗」の文字を表示する。その後、処理が終了となる。
【００７３】
以上、本実施の形態３によれば、設備管理システムの携帯端末装置は、読取装置によるテスト用識別体の読み取りが行われることでテスト用識別体から取得したテスト用識別体識別情報を管理装置に送信し、管理装置へのテスト用識別体識別情報の送信に対する応答として、管理装置からテスト用設備識別情報を受信できたか否かをチェックすることで、読取テストを行うように構成されている。このように構成した場合であっても、先の実施の形態１と同様の効果が得られる。
【００７４】
なお、実施の形態では、本発明をエレベーターに適用した場合を例示して説明したが、これに限定されず、保守員によって定期的にさまざまな保守点検が実行されるような設備に対して本発明を適用することができる。このような設備として、エレベーターの他に、例えば、エスカレーター、動く歩道等といった乗客コンベアなどが挙げられる。
【符号の説明】
【００７５】
１  エレベーター（設備）、２  ＩＣタグ（識別体）、３  読取装置、４  携帯端末装置、５  管理装置、６  テスト用ＩＣタグ（テスト用識別体）。
【図１】
2019210133.tif 000003
【図２】
2019210133.tif 000004
【図３】
2019210133.tif 000005
【図４】
2019210133.tif 000006
【図５】
2019210133.tif 000007
【図６】
2019210133.tif 000008
【図７】
2019210133.tif 000009
【図８】
2019210133.tif 000010